(57)【要約】【課題】撮像装置において、カラー画像と赤外光像を、分離性能を良好にしつつ、独立かつ同時に取得できるようにする。【解決手段】波長分離光学系１０４に、光透過性の基板１０５ａの表面に誘電体を蒸着させて形成した多層薄膜によって構成される光学フィルタ１０５ｂを有するミラー１０５を用いる。波長分離光学系１０４で反射した赤外光IRを検知する赤外光撮像部１１０に、赤外光IRの検知に最適化された、半導体の深さ方向における波長による吸収係数の違いを利用して可視光像と赤外光像とを分離して取得する構造のイメージセンサ１１２＿IR＋VLを用いる。波長分離光学系１０４を透過した可視光VLを検知する可視光撮像部１２０に、可視光VLの検知に最適化された、半導体の深さ方向における波長による吸収係数の違いを利用して可視光像と赤外光像とを分離して取得する構造のイメージセンサ１２２＿VL＋IRを用いる。【選択図】図２１
2006238093.tif 000002
【特許請求の範囲】
【請求項１】
像を担持する電磁波を複数の波長に分ける波長分離部と、前記波長分離部によって分波された各波長の像を検知する複数の撮像部とを備えた撮像装置であって、
前記複数の撮像部の内の少なくとも一方は、本来の検知目的の波長成分の検知に適正化された検知部を有する
ことを特徴とする撮像装置。
【請求項２】
前記波長分離部は、前記電磁波に対して透過性を有する所定の基板上に、隣接する層間で屈折率が異なり所定の厚みを持つ層を複数積層した構造を有する積層部材もしくは単層膜が形成され、前記電磁波の複数の波長の内の一方を反射させ他方を通過させる特性を持つように構成されている
ことを特徴とする請求項１に記載の撮像装置。
【請求項３】
前記本来の検知目的の波長成分の検知に適正化された検知部は、前記電磁波が入射する入射面側に、隣接する層間で屈折率が異なり所定の厚みを持つ層を複数積層した構造を有する積層部材もしくは単層膜が形成され、前記電磁波の複数の波長の内の一方を反射させ他方を通過させる特性を持つように構成されている
ことを特徴とする請求項１に記載の撮像装置。
【請求項４】
前記本来の検知目的の波長成分の検知に適正化された検知部は、当該検知部をなす半導体の深さ方向における波長による吸収係数の違いを利用することで波長分離を行ない、当該検知部の本来の検知目的以外の波長成分の影響を抑制しつつ、当該検知部の本来の検知目的の波長成分を検知することが可能に構成されている
ことを特徴とする請求項３に記載の撮像装置。
【請求項５】
前記半導体の深さ方向における波長による吸収係数の違いを利用する検知部は、前記半導体の深さ方向における一方の深さ領域において前記本来の検知目的の波長成分を検知するとともに、前記半導体の深さ方向における他方の深さ領域において前記本来の検知目的以外の波長成分を検知するものであり、
前記半導体の深さ方向における他方の深さ領域において検知された前記本来の検知目的以外の波長成分の検知結果を使用して、他方の検知部において検知される当該他方の検知部の本来の検知目的の波長成分を検知した結果を補正する信号処理部をさらに備えている
ことを特徴とする請求項３に記載の撮像装置。
【請求項６】
前記半導体の深さ方向における波長による吸収係数の違いを利用する検知部は、前記半導体の深さ方向における一方の深さ領域において前記本来の検知目的の波長成分を検知するとともに、前記半導体の深さ方向における他方の深さ領域において前記本来の検知目的以外の波長成分を検知するものであり、
前記半導体の深さ方向における一方の深さ領域において検知された前記本来の検知目的の波長成分の検知結果を、前記半導体の深さ方向における他方の深さ領域において検知された前記本来の検知目的以外の波長成分の検知結果を使用して補正する信号処理部をさらに備えている
ことを特徴とする請求項３に記載の撮像装置。
【発明の詳細な説明】
【技術分野】
【０００１】
本発明は、撮像装置に関する。より詳細には、たとえば光や放射線などの外部から入力される電磁波に対して感応性をする複数の単位構成要素が配列されてなり、単位構成要素によって電気信号に変換された物理量分布を電気信号として読出可能な物理量分布検知の半導体装置を利用した固体撮像装置などへの適用に好適な信号取得技術に関する。
【０００２】
特に、たとえば可視光成分と可視光以外の波長成分（たとえば赤外光）とを独立して撮像するなど、複数の波長成分の各像を独立して取得する仕組みに関する。
【背景技術】
【０００３】
光や放射線などの外部から入力される電磁波などの物理量変化に対して感応性をする単位構成要素（たとえば画素）をライン状もしくはマトリクス状に複数個配列してなる物理量分布検知半導体装置が様々な分野で使われている。
【０００４】
たとえば、映像機器の分野では、物理量の一例である光（電磁波の一例）の変化を検知するＣＣＤ（Charge Coupled Device ）型あるいはＭＯＳ（Metal Oxide Semiconductor ）やＣＭＯＳ（Complementary Metal-oxide Semiconductor ）型の固体撮像装置が使われている。これらは、単位構成要素（固体撮像装置にあっては画素）によって電気信号に変換された物理量分布を電気信号として読み出す。
【０００５】
たとえば、固体撮像装置は、デバイス部の撮像部（画素部）に設けられている光電変換素子（受光素子；フォトセンサ）であるフォトダイオードにて、光や放射線などの外部から入力される電磁波を検知して信号電荷を生成・蓄積し、この蓄積された信号電荷（光電子）を、画像情報として読み出す。
【０００６】
また最近では、可視光による像と赤外光による像を撮像する仕組みが提案されている（たとえば特許文献１〜７を参照）。たとえば赤外線の発光点を予め用意してそれを追跡することで、可視光の像の中にある赤外光の発光点の位置を検出することができる。また可視光のない、たとえば夜間においても赤外光を照射して撮像することで鮮明な像を得ることができる。さらに、可視光に加えて赤外光を取り入れることで感度を向上させることができる。
【０００７】
【特許文献１】特開２００４−１０３９６４号公報
【特許文献２】特開平１０−２１０４８６号公報
【特許文献３】特開２００２−３６９０４９号公報
【特許文献４】特開平０６−１２１３２５号公報
【特許文献５】特開平０９−１６６４９３号公報
【特許文献６】特開平０９−１３０６７８号公報
【特許文献７】特開２００２−１４２２２８号公報
【０００８】
特許文献１に記載の仕組みは、半導体の深さ方向における波長による吸収係数の違いを利用して可視光像と赤外光像とを分離して取得する単板式のものである。
【０００９】
また特許文献２〜４に記載の仕組みは、入射光学系に波長分離用のミラーやプリズムなどの波長分離光学系を使い、可視光と赤外光を個別の撮像素子で受光する多板式のものである。
【００１０】
たとえば、特許文献２では、赤外線照射装置より出射した赤外線を被写体に照射するとともに、撮像部においては、被写体からの入射光のうち、赤外線をコールドミラーで反射して一方のセンサに入射させる。また、コールドミラーを透過した可視光成分をさらに３枚のダイクロイックミラーで、赤色成分、緑色成分、および青色成分に分離し、それぞれを個別のセンサに入射させるようにしている。可視光側については、従来の３板方式に類似しており、Ｒ，Ｇ，Ｂの波長領域で分光を行ない、それぞれの感度を得ることで画像を構築させるので、３つのセンサが必要になりコストが増大するものの、画素サイズを大きくできるので感度を向上させることができる。
【００１１】
また、特許文献３では、撮像レンズ系にアイリス絞りを設け、アイリス絞りの絞り羽に、波長領域が約７７０ｎｍ〜９５０ｎｍ（赤外波長領域）の光のみを透過する光学フィルタを用い、さらに、ダイクロイックミラーで可視光と赤外光を分離し、透過した可視光側には赤外光カットフィルタを通して、また反射した赤外光側には可視光カットフィルタを通して、すなわち光路上にて２段構えで波長分離を行ない、それぞれ個別のセンサに入射させることで、可視光像と赤外光像とを個別に取得するようにしている。絞り部で赤外線を吸収させる（もしくは反射）させる機能を持たせているのは、３次元計測用途であるためである。
【００１２】
また特許文献５に記載の仕組みは、入射光学系に回転式の波長分離光学系を使い、可視光と赤外光を同一の撮像素子で受光する単板式のものである。たとえば、赤外光カットフィルタの挿入／抜出を回転機構的に行ない、赤外光カットフィルタを挿入している場合は近赤外光および赤外光の影響のない可視光カラー画像を、赤外光カットフィルタを抜き出している場合は可視光および近赤外光の光強度を加算した画像を出力する。
【００１３】
また特許文献６に記載の仕組みは、入射光学系に波長分解機能を持つ絞り光学系を使い、可視光と赤外光を同一の撮像素子で受光するものである。
【００１４】
また特許文献７に記載の仕組みは、可視光および近赤外光に感度を有する撮像素子の各画素に、別個のフィルタ特性を有する４種類の色フィルタを規則的に配設し、４種類の色フィルタを配設した各画素の出力をマトリクス演算することにより、可視光カラー画像および近赤外光画像をそれぞれ独立に求めるものである。
【発明の開示】
【発明が解決しようとする課題】
【００１５】
図２３は、特許文献１に記載のセンサの仕組みを説明する図であって、図２３（Ａ）は半導体層の光吸収スペクトル特性を示す図、図２３（Ｂ）は、デバイスの断面構造の模式図である。
【００１６】
この仕組みにおいては、Ｓｉ（シリコン）半導体の光の吸収係数が図２３（Ａ）に示すように青，緑，赤，赤外光の順に小さくなる、すなわち入射光Ｌ１に含まれる青色光、緑色光、赤色光、および赤外光に関しては、半導体の深さ方向において波長による場所依存性を呈することを利用して、図２３（Ｂ）に示すように、Ｓｉ半導体の表面から深さ方向に可視光（青，緑，赤）および赤外光の各色光を検出するための層を順次設けている。
【００１７】
しかしながら、波長による吸収係数の違いを利用した特許文献１に記載の仕組みでは、理論上検知できる光量が低下しないが、青色光を検知する層では赤色光や緑色光が通過するときにある程度吸収を受けるためにそれらの光が青色光として検知されてしまう。このために、青の信号が本来ない場合でも緑や赤の信号が入ることで青にも信号が入り偽信号が生じてしまうことになるので、十分な色再現性を得られない。
【００１８】
また、図２３（Ａ）に示すように、殆どの半導体は赤外光に対して吸収感度を有する。したがって、たとえばＳｉ半導体を用いた固体撮像装置（イメージセンサ）などにおいては通常、減色フィルタの一例としてガラス製の赤外線カットフィルタをセンサの前に入れる必要がある。よって、赤外光のみ、あるいは可視光と赤外光を信号として受け取って撮像するためには、赤外線カットフィルタを外すか、赤外光のカットする割合を低くする必要がある。
【００１９】
ところが、このようにすると、赤外光が可視光に混じって光電変換素子に入射することになるので、可視光の像の色合いが本来のものとは異なることになる。したがって、可視光の像と赤外光のみ（または赤外光と可視光の混合）を同時に分けて各々適切な画像を得ることが困難である。
【００２０】
また上述の課題とは別に、通常の固体撮像装置のように赤外線カットフィルタを用いることによって、可視光も幾らかカットされるので感度が落ちることになる。また赤外線カットフィルタを用いることによってコストが高くなる。
【００２１】
一方、特許文献２〜４に記載の仕組みは、波長分離用のミラーやプリズムなどの波長分離光学系のための比較的大がかりな入射光学系を使用しているが、特に特許文献２，４では、その分離性能には限界がある。よって、分離した赤外光側には可視光成分が僅かに含まれ、また分離した可視光側には赤外光成分が僅かに含まれてしまい、それぞれ残留成分による偽信号が生じてしまうことになるので、可視光像は十分な色再現性を得られないし、赤外光像には不要な可視光像の成分が現われてしまう。
【００２２】
一方、特許文献３では、ダイクロイックミラーで可視光と赤外光を分離し、透過した可視光側には赤外光カットフィルタを通して、また反射した赤外光側には可視光カットフィルタを通すことで、光路上（入射系）にて２段構えで波長分離を行なうので、特許文献２，４の仕組みよりも波長分離性能は向上するが、光学系がかなり大掛かりとなりコストがアップする問題がある。
【００２３】
また特許文献５に記載の仕組みは、赤外光カットフィルタの挿入／抜出機構のため、装置が大がかりとなるし、赤外光カットフィルタの操作は自動的に行なえない。
【００２４】
また特許文献６に記載の仕組みは、波長分解機能を持つ絞り光学系のため、装置が大がかりとなる。加えて、赤外光像（赤外線画像）と可視光像（可視光線画像）の両方を同時に得ることができるものの、イメージセンサからは、この可視光像および赤外光像を合成した電気信号しか出力できず、可視光像のみあるいは赤外光像のみを出力することができない。
【００２５】
これに対して、特許文献７に記載の仕組みは、４種類の色フィルタを配設することで波長分離を行なうので、特許文献２〜６のような入射光学系が大がかりとなる問題がないものの、演算処理に問題がある。すなわち、特許文献７に記載の仕組みは、別個のフィルタ特性を有する４種類の色フィルタを配設した各画素の出力をマトリクス演算することで、可視光カラー画像および近赤外光画像をそれぞれ独立に求めるので、可視光像と赤外光像とを個別かつ同時に出力できるものの、その分離性能には限界がある。よって、特許文献２〜４に記載の仕組みと同様に、分離取得した可視光像は十分な色再現性を得られないし、赤外光像には不要な可視光像の成分が現われてしまう。
【００２６】
本発明は、上記事情に鑑みてなされたものであり、上述した問題の少なくとも１つを解決し得る新たな仕組みを提供することを目的とする。特に、波長分離用の光学系を大幅に大きくすることなく、可視光像における色再現性をさらに改善し得る仕組みや赤外光像における可視光像成分の抑制をさらに改善し得る仕組みを提供することを目的とする。
【００２７】
一例として、色再現性の良好な可視光カラー画像および可視光成分が殆ど現われない近赤外光画像を独立に得る新たな仕組みの撮像装置を提供する。また、他の例として、可視光像と赤外光像を同時に撮像する場合に、赤外光カットフィルタを外すことによる色合いが本来のものと異なる点を解決することで、色合いが正確なすなわち色再現性の良好な可視光像と赤外光や紫外光などの不可視光による像（不可視光像）を同時に撮像することができる仕組みを提供する。また他の例として、通常のイメージセンサのように厚みのあるガラス製の赤外線カットフィルタを用いることによるコストが高くなる点を解決することができる仕組みを提供する。
【課題を解決するための手段】
【００２８】
本発明に係る撮像装置は、像を担持する電磁波を複数の波長に分ける波長分離部と、波長分離部によって分波された各波長の像を検知する複数の撮像部とを備えた撮像装置であって、複数の撮像部の内の少なくとも一方に、本来の検知目的の波長成分の検知に適正化された検知部を設けるようにした。
【００２９】
ここで、“本来の検知目的の波長成分の検知に適正化された検知部を設ける”とは要するに、その撮像部においても波長分離を行なうようにするということである。
【００３０】
つまり、本発明に係る撮像装置は、各撮像部への入射系において先ず波長分離を行なうとともに、撮像部においても、少なくとも一方に関して波長分離を行なうように、波長分離を複数段備えた構成とする点に特徴を有している。
【００３１】
また従属項に記載された発明は、本発明に係る撮像装置のさらなる有利な具体例を規定する。
【００３２】
たとえば、各撮像部への入射系において波長分離を行なう波長分離部に関しては、その分離性能がよりよいものを使用する。一例としては、電磁波に対して透過性を有する所定の基板上に、隣接する層間で屈折率が異なり所定の厚みを持つ層を複数積層した構造を有し、電磁波の複数の波長の内の一方を反射させ他方を通過させる特性を持った積層部材が形成されている分光フィルタを使用するのがよい。
【００３３】
つまり、隣接する層間で屈折率が異なり所定の厚みを持つ層を複数積層した構造を有し、電磁波の内の所定の波長領域成分を反射させ残りを通過させる特性を持った積層部材を検知部の電磁波が入射する入射面側に設ける。
【００３４】
あるいは、所定の厚さの単層膜を利用して波長分離を行なうようにしてもよい。単層膜を利用しても、その膜厚を変化させると、電磁波の内の所定の波長領域成分を反射させ残りを通過させる特性を持たせることができる。よって、この単層膜を利用した波長分離部材を検知部の電磁波が入射する入射面側に設けるとよい。
【００３５】
なお、“残り”とは、反射される反射波長領域成分を除く全ての波長成分を意味するものではなく、少なくとも、反射波長領域成分を事実上含まないものであればよい。“反射波長領域成分を事実上含まない”とは、反射波長領域成分の影響をほぼ全く受けないことを意味し、影響を若干受けることがあってもよい。通過波長側については反射波長領域の影響を無視可能な信号を取得できればよいからである。なお、反射波長領域についても、通過波長領域成分の影響を無視可能な信号を取得できればよい。
【００３６】
また、各撮像部において波長分離を行なう仕組みに関しては、たとえば、前述の積層部材や単層膜を利用した分光フィルタが受光部前面に一体的に形成された構造を持つ分光検知部を使用するのがよい。
【００３７】
あるいは、検知部をなす半導体の深さ方向における波長による吸収係数の違いを利用することで波長分離を行ない、他方の検知部の本来の検知目的以外の波長成分の影響を抑制しつつ、他方の検知部の本来の検知目的の波長成分を検知することが可能に構成されているものを使用してもよい。
【００３８】
後者の場合、本来の検知目的以外の波長成分をも検知できるので、その検知結果を使って、この検知部で検知される本来の検知目的の波長成分や、他方の検知部で検知される、その他方の検知部にとって本来の検知目的の波長成分を補正してもよい。
【発明の効果】
【００３９】
本発明によれば、各撮像部への入射系において先ず波長分離部で波長分離を行なうとともに少なくとも一方の撮像部においても波長分離を行なうように構成した。
【００４０】
波長分離を入射系と撮像系の各段で行なうことにより、波長分離性能を高めることができる。たとえば、赤外光の影響を受けない色合いが正確な可視光による像と、可視光による影響を受けない赤外光による像を同時に撮像することができる。
【００４１】
また、入射系のみにおいて複数段で波長分離を行なうよりも低コストになり、また装置構成をコンパクトにできる。
【発明を実施するための最良の形態】
【００４２】
以下、図面を参照して本発明の実施形態について詳細に説明する。
【００４３】
＜第１実施形態＞
図１は、本発明に係る第１実施形態の撮像装置の概略構成を示す図である。この第１実施形態の撮像装置１００は、可視光カラー画像および近赤外光画像を独立に得る撮像装置になっている。
【００４４】
具体的には、第１実施形態の撮像装置１００は、被写体Ｚの像を担持する光Ｌを撮像部側に導光して結像させる撮影レンズ１０２と、撮影レンズ１０２を通して入射された光Ｌ１を不可視光の一例である赤外光IRと可視光VLとに分離する波長分離用の光学部材（以下波長分離光学系という）１０４を備えている。
【００４５】
なお、波長分離光学系１０４は、像を担持する電磁波の一例である撮影レンズ１０２を通過した光を複数の波長に分ける波長分離部の一例である。つまり、撮像装置１００は、入射系において波長分離を行なう構成を備えている。
【００４６】
また、第１実施形態の撮像装置１００は、波長分離光学系１０４によって分離された赤外光IRを受光して赤外光像を撮像するイメージセンサ１１２を有する赤外光撮像部１１０と、波長分離光学系１０４によって分離された可視光VLを受光して可視光像を撮像するイメージセンサ１２２を有する可視光撮像部１２０と、赤外光撮像部１１０と可視光撮像部１２０のそれぞれから出力された各撮像信号ＳIR，ＳＶを処理する撮像信号処理部１３０とを備えている。
【００４７】
このような構成によって、撮像装置１００は、撮影レンズ１０２により赤外光IRを含む被写体Ｚを表わす光学画像を取り込み、波長分離光学系１０４によって赤外光像（近赤外光光学画像）と可視光像（可視光光学画像）とに分離するとともに、撮像信号処理部１３０によってこれら赤外光像と可視光像とをそれぞれ映像信号に変換した後に所定の信号処理（たとえばＲ，Ｇ，Ｂ成分への色信号分離など）を行なって、カラー画像信号や赤外光画像信号、あるいは両者を合成した混在画像信号として出力する。
【００４８】
たとえば、撮影レンズ１０２は、波長３８０ｎｍ程度から２２００ｎｍ程度までの光を透過することができる石英またはサファイアなどの光学材料によって構成されるレンズであり、赤外光IRを含む光学画像を取り込んで、これを集光しながら波長分離光学系１０４に入射させる。
【００４９】
ここで、第１実施形態の撮像装置１００においては、波長分離光学系１０４を撮影レンズ１０２の光軸上に設け、入射された光から不可視光としての赤外光IRと可視光VLとを分離し、赤外光IRを全反射して赤外光撮像部１１０に入射させる一方で、可視光VLを透過させて可視光撮像部１２０に入射させるようにしている点に第１の特徴を有している。
【００５０】
具体的には、長波長側の赤外光IRを全反射し、赤外光IRより波長の短い成分である可視光VLの全波長領域成分を透過するミラー１０５を、光軸とたとえば４５°の傾きを持って装着している。
【００５１】
ミラー１０５としては、その波長分離性能がよりよいものとするべく、石英またはサファイアあるいは高分子材料などの光学材料によって構成される光透過性の基板１０５ａの表面に、誘電体を蒸着させて形成した多層薄膜（光干渉膜）によって構成される光学フィルタ１０５ｂを有するものを使用している。
【００５２】
詳細は後述するが、撮影レンズ１０２から出射される光学画像を取り込んで、これを光学フィルタ１０５ｂによる光の干渉と反射とによって、図示するように、２つの波長域、すなわち波長３８０ｎｍ程度から７００ｎｍ程度の可視光VLと波長７００ｎｍ程度から２２００ｎｍ程度の赤外光IRとに分離し、これによって得られた赤外光像を赤外光撮像部１１０に入射させ、かつ可視光像を可視光撮像部１２０に入射させるようになっている。ミラー１０５を用いて赤外光IRを完全反射させるようにすることで、特許文献３で必要としていた赤外光IRを吸収させる絞りを不要にしている。
【００５３】
また、第１実施形態の撮像装置１００においては、各撮像部１１０，１２０の少なくとも一方に、本来の検知目的の波長成分の検知に最適化された検知部（イメージセンサ）を設けるようにする点に第２の特徴を有している。特に、第１実施形態においては、可視光VLと赤外光IRの内の短波長側を検知する可視光撮像部１２０に、可視光VLの検知に最適化されたイメージセンサ１２２が設けられている。
【００５４】
ここで“最適化されたイメージセンサ”とは、本来の検知目的の波長成分の撮像信号に、本来の検知目的の波長成分以外が可能な限り含まれないようにするような波長分離対応の構造を持つことを意味する。
【００５５】
イメージセンサ側でも波長分離対応の構造を持つようにし、波長分離光学系１０４による光路上での波長分離と、イメージセンサによる波長分離の２段構えとすることで、光学系をコンパクトにすることを可能にしつつ、波長分離性能を向上させるようにする点に特徴を有している。
【００５６】
具体的には、詳細は後述するが、イメージセンサ１２２の電磁波が入射する入射面側に、隣接する層間で屈折率が異なり所定の厚みを持つ層を複数積層した構造を有し、入射される光（電磁波）の内の本来の検知目的外である波長成分（本例では赤外光IR成分）を反射させ残り（本例では可視光VL成分）を通過させる特性を持った積層部材としての誘電体積層膜を利用した波長分離対応の構造を持つ分光イメージセンサ（分光検知部）１１としている。センサの基本構造そのものは、ＣＣＤ型やＣＭＯＳ型やその他の何れであってもよい。
【００５７】
積層部材が持つ前述の特性は、逆に言えば、入射される光（電磁波）の内の本来の検知目的の波長成分（本例では可視光VL成分）を通過させ残り（本例では赤外光IR成分）を反射させる特性ということができる。
【００５８】
第１実施形態では、可視光VLの検知側に赤外光IR成分が漏れ込んだ場合に対する対応として、可視光撮像部１２０に、可視光VLの検知に最適化された誘電体積層膜を利用した分光イメージセンサ構造のイメージセンサ１２２を用いている。これにより、赤外光IRの影響を殆ど受けることなく、可視光像を赤外光像とは独立に得ることができる。
【００５９】
たとえば、波長分離光学系１０４により赤外光IRを赤外光撮像部１１０側に反射させ、可視光VLを可視光撮像部１２０側に透過させることで可視光VLを分光させると、可視光側の分光成分は、波長分離光学系１０４の分離能に依存して、可視光VLが主要な成分となるが、数％の赤外光IRが含まれてしまう。
【００６０】
そこで、誘電体積層膜を利用した分光イメージセンサ構造のイメージセンサ１２２を用いることで、漏れ込む赤外光IRを光学的に排除し、入射した可視光VL成分だけの光電子だけを電気信号に変換するようにする。
【００６１】
なお、本願出願人が特願２００４−３５８１３９号にて提案している構成では、光路上で波長分離を行なうことなく、１つのイメージセンサ上の可視光検知画素（具体的にはＲ，Ｇ，Ｂの各色画素）に誘電体多層膜を利用した分光フィルタを一体的に形成し、赤外光検知画素には誘電体多層膜を利用した分光フィルタを形成しないことで、可視光像と赤外光像とを独立かつ同時に取得できるようにしていた。
【００６２】
この場合、斜め入射光による漏れが少なからず存在するので、互いに他方の漏れ成分の影響を受け、分離取得した可視光像は色再現性がその漏れ分だけ低下し、また赤外光像にはその漏れ分の可視光像成分が現われてしまう懸念が存在する。
【００６３】
これに対して、この第１実施形態では、可視光VLと赤外光IRをそれぞれ独立のイメージセンサ１１２，１２２で検知する構成としているので、斜め入射による漏れの影響を考慮する必要がなくなる。
【００６４】
このような第１実施形態の構造は、特許文献２，４のように、波長分離光学系で分離した各波長成分を、同様の構造を持つそれぞれ個別のセンサに入射させることで、可視光像と赤外光像とを個別に取得する構成とは異なる。第１実施形態の構成によれば、撮像系においても波長分離を行なって検知する構造を採ることにより、全体の波長分離性能を高めることができる。
【００６５】
また、特許文献２のように、コールドミラーを透過した可視光成分をさらに３枚のダイクロイックミラーで、赤色成分、緑色成分、および青色成分に分離し、それぞれを個別のセンサに入射させることで、可視光VLに関して、Ｒ，Ｇ，Ｂの個別の画像を取得する仕組みとも異なる。特許文献２の方式では、可視光VLについて３つのセンサが必要になり、感度向上はあるものの、コストが増大するという問題点がある。第１実施形態の構成ではこの問題がない。
【００６６】
また、特許文献３のように、光路上にて２段構えで波長分離を行ない、同様の構造を持つそれぞれ個別のセンサに入射させることで、可視光像と赤外光像とを個別に取得する構成とも異なる。特許文献３の方式では、光路上にて２段構えで波長分離を行なうので、光学系が大掛かりになる難点がある。加えて、感度やボケなどの問題も有する。第１実施形態の構成ではこの問題がない。
【００６７】
たとえば、本実施形態の構成では、可視光撮像部１２０による可視光VLの撮像において、減色フィルタの一例として赤外線カットフィルタをイメージセンサ１２２の前に入れる必要がなくなる。高価な赤外線カットフィルタを不要にすることで、コストを大幅に低減できる。また、厚みや重さのある赤外線カットフィルタを不要にすることで、光学系を軽量かつコンパクトにできる。もちろん、赤外線カットフィルタの挿入／抜出機構が不要であり、装置が大がかりになることもない。既存のガラス製の赤外光カットフィルタを用いる場合に比べて、コスト的に有利になるし、コンパクトになって携帯性などに優れたデジタルカメラなどの撮像装置を提供することができる。
【００６８】
また、赤外線カットフィルタをイメージセンサ１２２の前に入れる構成では、ガラス基板をＣＣＤやＣＭＯＳなどの撮像素子の前に入れることで光路の途中に空気とガラス界面が生じてしまう。したがって、透過して欲しい可視光VLの光までがその界面で反射されてしまい、感度低下を招く問題が生じる。さらにこのような界面が多くなることで、斜め入射における（ガラス内で）屈折する角度が波長によって異なり、光路の変化による焦点ぼけを引き起こす。これに対して、波長分離光学系１０４とイメージセンサ１２２との間に赤外光カットフィルタを用いないことで、このような波長による焦点ぼけがなくなる利点が得られる。
【００６９】
なお、さらに波長分離性能を向上させるために、光学系が大きくなってしまなどの問題が生じてしまうが、若干の赤外光IRが漏れて可視光撮像部１２０に入射する場合には、波長分離光学系１０４（ミラー１０５）と可視光撮像部１２０との間（可視光撮像部１２０の受光面側）に、全体に弱い赤外線カットフィルタを入れてもよい。たとえば５０％以下の赤外線カットフィルタを入れることで可視光VLに対して殆ど問題のないレベルまでカットするとよい。
【００７０】
また、若干の可視光VLが漏れて赤外光撮像部１１０に入射する場合には、波長分離光学系１０４（ミラー１０５）と赤外光撮像部１１０との間（赤外光撮像部１１０の受光面側）に、全体に弱い可視光カットフィルタを入れてもよい。たとえば５０％以下の可視光カットフィルタを入れることで可視光VLに対して殆ど問題のないレベルまでカットするとよい。
【００７１】
たとえば、光通信応用や赤外発光点を追跡することで位置検出するような応用など、可視光VLの影響をほぼ全く受けない赤外光IRだけの像を同時に撮像する応用を考えた場合、イメージセンサ１１２の受光面側に、少なくとも反射波長領域成分である赤外光IRを通過させるとともに、通過波長領域成分である可視光VLの内の所定の波長成分を通過させる色フィルタを入れてもよい。
【００７２】
たとえば、イメージセンサ１１２の受光面側に可視光カットフィルタを入れない場合、赤外光IRの検知側に可視光VL成分が漏れ込み、この漏れ込み成分の可視光像と本来の赤外光像とが混在して取得される。この混在した可視光像を排除して、可視光VLの影響の殆どない赤外光像を取得するには、たとえば、イメージセンサ１２２で取得される３つの色画素Ｒ，Ｇ，Ｂで検知される青、赤、緑の強度を減じる必要がある。
【００７３】
これに対して、たとえば、赤外光IRと緑色光とを通過させる緑色フィルタを可視光カットフィルタとして設けることで、イメージセンサ１１２からは赤外光IRと緑色の可視光LGの混在の成分が得られるが、イメージセンサ１２２から得られる可視光VLだけの緑色成分との差分を取ることで、可視光VL（ここでは緑色光Ｇ）の影響をほぼ全く受けない赤外光IRのみの像が得られる。緑色フィルタをイメージセンサ１１２の受光面側に設ける必要があるものの、緑色フィルタを設けずに３つの画素Ｒ，Ｇ，Ｂで検知される青、赤、緑の強度を減じる場合よりも処理が簡易になる。
【００７４】
また、赤外光IRを通過させ可視光VLのみを吸収するような黒色フィルタを可視光カットフィルタとして設けると、可視光VLをこの黒色フィルタで吸収させることで、イメージセンサ１１２からは赤外光IRのみの成分が得られ、差分処理を行なわなくても、可視光VLの影響をほぼ全く受けない赤外光IRのみの赤外光像が得られることになる。
【００７５】
＜誘電体積層膜を利用した波長分離と撮像との関係について＞
各イメージセンサ１１２，１２２の撮像面では、被写体Ｚの像を担持する赤外光IRに応じた電荷や可視光VLに応じた電荷が発生する。電荷の蓄積動作や電荷の読出動作などの動作は、図示しないシステムコントロール回路から図示しない駆動回路へ出力されるセンサ駆動用のパルス信号によって制御される。
【００７６】
各イメージセンサ１１２，１２２から読み出された電荷信号、すなわち赤外光像を担持する赤外光撮像信号ＳIRと可視光像を担持する可視光撮像信号ＳＶは撮像信号処理部１３０に送られ、撮像信号処理部１３０において所定レベルに増幅され、アナログ信号からデジタル信号に変換される。また、デジタルの画像信号はガンマ補正などの処理が施され、さらにＲ，Ｇ，Ｂの色分離信号に分離された後、輝度信号や色信号もしくはこれを合成した映像信号などに変換され出力される。
【００７７】
ここで、誘電体積層膜を利用したミラー１０５を波長分離光学系１０４に適用して、赤外光IRをカットし可視光VLのみを透過させ、赤外光IRと可視光VLとを個別のイメージセンサで受光する、つまり赤外光をカットしたりしなかったりすることで、可視光VLのみの撮像と赤外光IRのみの撮像、あるいは可視光VLのみの撮像と赤外光IRと可視光VLとを混在させた撮像を、同時に行なうようにすることができる。
【００７８】
昼間におけるモノクロ画像あるいはカラー画像の撮像時に赤外光IRの影響を受けず、また、夜間などにおいて、赤外光IRによる撮像が可能となる。必要に応じて、他方の像も同時に出力することもできる。その場合でも、昼間において、可視光VLの影響を受けない赤外光IRのみの画像を得ることができる。
【００７９】
たとえば赤外光IRの影響をほぼ全く受けない可視光VLのみのモノクロ画像が得られる。特開２００２−１４２２２８号公報記載の仕組みとは異なり、赤外光IRの影響をほぼ全く受けない可視光VLのモノクロ画像を得るに際して、赤外光IRの成分との間での演算処理が不要である。
【００８０】
さらに、イメージセンサ１２２上に、可視光VL内を所定の波長領域成分に分離する光学部材の一例として、可視光VL領域において所定の波長透過特性を持つ色フィルタを画素（単位画素マトリクス）に対応させて設けることで、赤外光IRの影響をほぼ全く受けない可視光VL領域中の特定波長領域のみの像が得られる。
【００８１】
また、単位画素マトリクスを構成する複数のフォトダイオード上に一体的に、可視光VL領域においてそれぞれ異なる波長透過特性を持つ色フィルタを、各波長対応（色別）のフォトダイオードに位置整合させて、規則的に配列することで、可視光VL領域を波長別（色別）に分離することができ、これらの色別の画素から得られる各画素信号に基づいて合成処理をすることで、赤外光IRの影響をほぼ全く受けない可視光VLのみのカラー画像（可視光カラー画像）が得られる。特開２００２−１４２２２８号公報記載の仕組みとは異なり、赤外光IRの影響をほぼ全く受けない可視光VLのカラー画像を得るに際して、赤外光IRの成分との間での演算処理が不要である。
【００８２】
また、赤外光IR用のイメージセンサ１１２と可視光VL用のイメージセンサ１２２を用いることで、可視光VLのモノクロ画像あるいはカラー画像と、“赤外光IRに関わる像”をそれぞれ独立に求めることが常時可能となる。“赤外光IRに関わる像”とは、可視光VLの影響をほぼ全く受けない赤外光IRのみの像や赤外光IRと可視光VLとを混在させた像を意味する。
【００８３】
赤外光IRの影響をほぼ全く受けない可視光VLのみの撮像（モノクロ撮像もしくはカラー撮像）と、赤外光IRと可視光VLとを混在させた撮像を、同時に行なうようにすることもできる。また、可視光VLのみの成分（モノクロ像成分もしくはカラー像成分）と、赤外光IRと可視光VLとを混在させた成分との合成処理（詳しくは差分処理）により、可視光VLの影響をほぼ全く受けない赤外光IRのみの撮像を行なうようにすることもできる。
【００８４】
なお、上記において、“影響をほぼ全く受けない”とは、最終的に人間の視覚によることを考慮し、一般的に人間の視覚によって明確な差が関知できない程度であれば、“影響を若干受ける”ことがあってもよい。すなわち、赤外光IR側については通過波長領域（可視光VL）の影響を無視可能な赤外画像（物理情報の一例）を取得できればよく、可視光VL側については反射波長領域成分（赤外光IR）の影響を無視可能な通常画像（物理情報の一例）を取得できればよい。
【００８５】
また、色フィルタは、可視光VL（波長λ＝３８０〜７８０ｎｍ）の３原色である青色成分Ｂ（たとえば波長λ＝４００〜５００ｎｍで透過率が略１、その他で略ゼロ）、緑色成分Ｇ（たとえば波長λ＝５００〜６００ｎｍで透過率が略１、その他で略ゼロ）、赤色成分Ｒ（たとえば波長λ＝６００〜７００ｎｍで透過率が略１、その他で略ゼロ）を中心とする原色フィルタであってもよい。
【００８６】
あるいは、黄Ｙｅ（たとえば波長λ＝４００〜５００ｎｍで透過率が略ゼロ、その他で略１）、マゼンダＭｇ（たとえば波長λ＝５００〜６００ｎｍで透過率が略ゼロ、その他で略１）、シアンＣｙ（たとえば波長λ＝６００〜７００ｎｍで透過率が略ゼロ、その他で略１）など、可視光の３原色成分に対して略ゼロの透過率を持つ補色系の色フィルタであってもよい。
【００８７】
補色系の色フィルタは原色系の色フィルタよりも感度が高いので、可視領域の透過光が３原色の各々の補色である補色系の色フィルタを使用することで撮像装置の感度を高めることができる。逆に、原色系の色フィルタを用いることで、差分処理を行なわなくても原色の色信号を取得でき信号処理が簡易になる利点がある。
【００８８】
また、透過率が“略１”であるとは、理想的な状態をいったものであり、その波長領域での透過率がその他の波長領域での透過率よりも遙かに大きいものであればよい。一部に“１”でない透過率”があってもよい。また、透過率が“略ゼロ”であるについても、同様に理想的な状態をいったものであり、その波長領域での透過率がその他の波長領域での透過率よりも遙かに小さいものであればよい。一部に“ゼロ”でない透過率”があってもよい。
【００８９】
また、原色系および補色系の何れも、通過波長領域成分である可視光VL領域の内の所定色（原色もしくは補色）の波長領域成分を通過させるものであればよく、反射波長領域成分である赤外光IR領域を通過させるか否かすなわち赤外光IRに対する透過率は不問である。誘電体積層膜を利用したミラー１０５によって赤外光IR成分をカットするからである。
【００９０】
たとえば、現状一般的に用いられる各色フィルタは、可視光帯内では、たとえばＲ，Ｇ，Ｂの各々に対して透過率が高くその他の色（たとえばＲであればＧやＢ）の透過率が低いが、可視光帯外の透過率に関しては規定外であり、通常、その他の色（たとえばＲであればＧやＢ）の透過率よりも高く、たとえば各フィルタともに赤外領域に感度を持ち、赤外領域において光の透過がある。しかしながら、本実施形態では、このような可視光帯外で透過率が高い特性であっても、影響を受けない。
【００９１】
＜誘電体積層膜を利用した波長分離の概念＞
図２は、誘電体積層膜を利用して電磁波を所定波長ごとに分光する波長分離の概念を説明する図である。ここでは、電磁波の一例である光を所定波長ごとに分光することを例に説明する。
【００９２】
誘電体積層膜１は、図２に示すように、隣接する層間で屈折率ｎｊ（ｊは２以上の正の整数；以下同様）が異なり（屈折率差Δｎ）、所定の厚みｄｊを持つ層を複数積層した構造を有する積層部材である。これによって、後述するように、電磁波の内の所定の波長領域成分を反射させ残りを通過させる特性を持つようになる。
【００９３】
誘電体積層膜１をなす各誘電体層１＿ｊの層数の数え方は、その両側の厚い層（第ｎ０層１＿０および第ｋ層１＿ｋ）を層数として数えずに、たとえば、第１層目から第ｋ層側に向けて順に数える。実質的には、両側の厚い層（第０層１＿０および第ｋ層１＿ｋ）を除いて誘電体積層膜１が構成される。
【００９４】
このような構造を持つ誘電体積層膜１に光を入射させると、誘電体積層膜１での干渉により、反射率（あるいは透過率）が波長λに対してある依存性を持つようになる。光の屈折率差Δｎが大きいほどその効果が強くなる。
【００９５】
特に、この誘電体積層膜１が、周期的な構造や、ある条件（たとえば各層の厚みｄの条件ｄ〜λ／４ｎ）を持つことで、白色光などの入射光Ｌ１が入射すると、ある特定波長域の光（特定波長領域光）の反射率だけを効果的に高めて殆どを反射光成分Ｌ２にさせ、すなわち透過率を小さくさせて、かつ、それ以外の波長域の光の反射率を低くすることで殆どを透過光成分Ｌ３にさせる、すなわち、透過率を大きくさせることができる。
【００９６】
ここで波長λは、ある波長域の中心波長であり、ｎはその層の屈折率である。本実施形態では、この誘電体積層膜１による反射率（あるいは透過率）の波長依存性を利用することで、分光フィルタ１０を実現する。
【００９７】
＜誘電体積層膜を利用した分光フィルタの基本構成＞
図３は、誘電体積層膜を利用したミラー１０５の適用に好適な分光フィルタ１０の基本構成を説明する概念図である。ここで、図３は、赤外光IR（InfraRed）と可視光VL（Visible Light ）とを分光する事例で示している。可視光VLよりも長波長側である赤外領域の波長λ（主に７８０ｎｍより長波長側）の赤外光IRに対して、高い反射率を持たせるような誘電体積層膜１を形成することで、赤外光IRをカットすることができる。
【００９８】
なお、誘電体積層膜１をなす各誘電体層１＿ｊの部材（層材）は、複数の層で誘電体積層膜１を構成することから少なくとも２種となり、３層以上の場合には各誘電体層１＿ｊの何れもが異なる層材でなるものであってもよいし、２種（あるいはそれ以上）を交互にあるいは任意の順に積層したものであってもよい。また、誘電体積層膜１を、基本的な第１および第２の層材で構成しつつ、一部を第３（あるいはそれ以上）の層材に代えるようにしてもよい。以下、具体的に説明する。
【００９９】
＜＜誘電体積層膜の設計手法；赤外光カットの例＞＞
＜厚みｄｊの設計手法＞
図４〜図６は、誘電体積層膜１を設計する手法の基本概念を説明する図である。ここでは、誘電体積層膜１を、基本的な第１および第２の層材で構成しつつ、赤外光IRを選択的に反射させるような設計例を述べる。
【０１００】
図４にその構造図を示すように、本実施形態で用いる誘電体積層膜１は、両側（以下、光入射側を第０層、反対側を第ｋ層と称する）の厚い酸化シリコンＳｉＯ２（以下ＳｉＯ２と記す）に挟まれて、第１および第２の層材でなる複数の誘電体層１＿ｊが積層されて構成されている。図示した例では、誘電体層１＿ｊをなす第１および第２の層材として何れも一般的な材料を用いることとし、シリコンナイトライドＳｉ３Ｎ４（以下ＳｉＮと記す）を第１の層材、酸化シリコンＳｉＯ２を第２の層材とする２種を用いて、これらを交互に積層している。また、誘電体積層膜１の構造は、上下に十分に厚い酸化シリコンＳｉＯ２層がある場合（ｄ０＝ｄｋ＝∞）を仮定している。
【０１０１】
このような誘電体積層膜１は、下記式（１）の条件を満たすことで、反射率を有効に高くすることができる。
【０１０２】
【数１】
2006238093.tif 000003
【０１０３】
ここでｄｊ（ｊは層番号；以下同様）は、誘電体積層膜１を構成する各誘電体層１＿ｊの厚みであり、ｎｊは、その各誘電体層１＿ｊの屈折率であり、λ０は反射波長領域の中心波長（以下反射中心波長という）である。
【０１０４】
誘電体積層膜１をなす各誘電体層１＿ｊの層数の数え方は、その両側の厚い酸化シリコンＳｉＯ２を層数として数えずに、たとえば、第１層目から第ｋ層側に向けて順に、ＳｉＮ層／ＳｉＯ２層／ＳｉＮ層で３層、ＳｉＮ層／ＳｉＯ２層／ＳｉＮ層／ＳｉＯ２層／ＳｉＮ層で５層というように数える。図４では、７層構造を示している。
【０１０５】
また、反射波長領域である赤外光IRの反射中心波長λ０＝９００ｎｍとして、奇数番目の層をなすシリコンナイトライドＳｉＮの屈折率ｎα＝２．０３、０番目、偶数番目、およびｋ番目の層をなす酸化シリコンＳｉＯ２の屈折率ｎβ＝１．４６としており、屈折率差Δｎは、０．５７である。
【０１０６】
また、上記式（１）に従い、シリコンナイトライドＳｉＮの厚みｄα（＝ｄ１，ｄ３，…；ｊ＝奇数）は１１１ｎｍ、酸化シリコンＳｉＯ２層の厚みｄβ（＝ｄ２，ｄ４，…；ｊ＝偶数）は１５４ｎｍとしている。
【０１０７】
図５は、一般的な材料を用いた図４の構造について、層数を変えて、有効フレネル係数法で計算した反射率Ｒの結果（反射スペクトル図）を示し、これにより、反射スペクトルの層数依存特性が分かる。
【０１０８】
図５の結果から、層数が増えるに従い、赤外光IRの反射中心波長λ０＝９００ｎｍを中心に反射率Ｒが高くなっているのが分かる。さらに、このように波長９００ｎｍを反射中心波長λ０に選ぶことで、ほぼ赤外光IRと可視光VLを分けていることが分かる。ここでは、５層以上にすることで、反射率Ｒが０．５以上、特に、７層以上にすることで、反射率が０．７を超えて望ましいことが分かる。
【０１０９】
図６は、誘電体層１＿ｊの厚みの変動依存性（ばらつきとの関係）を説明する図である。ここでは、７層の場合を例に、各誘電体層１＿ｊの厚みｄｊを±１０％変えて計算した結果（反射スペクトル図）を示している。
【０１１０】
条件式（１）は、フレネル係数法による理想的な計算値であるが、実際には式（１）の条件はゆるやかで幅がある。たとえば、±１０％の厚みｄｊの誤差があっても有効に反射率を高くできることがフレネル係数法による計算で分かった。
【０１１１】
たとえば、図６に示すように、厚みｄｊにばらつきの差があっても、有効に反射率Ｒを高くできることが分かった。たとえば、赤外光IRの反射中心波長λ０＝９００ｎｍにおいて反射率Ｒが０．５以上という十分な反射率Ｒが得られているし、赤外光IR全体（主に７８０ｎｍより長波長側）においても、反射が強いことが分かる。したがって、実際には、ばらつきも加味すれば、誘電体層１＿ｊの厚みｄｊは、下記式（２）の範囲であれば、反射率を有効に高くする上で、十分な効果が得られることになる。
【０１１２】
【数２】
2006238093.tif 000004
【０１１３】
＜反射中心波長λ０の設計手法＞
図７〜図９は、反射中心波長λ０の条件を説明する図である。厚みｄｊの数値条件は、スペクトルの赤外反射領域のバンド幅ΔλIRに依存する。反射スペクトルの概念を示した図７（Ａ）のように、赤外反射領域のバンド幅ΔλIRが広い場合には長波長側に中心波長λ０を持っていかないと可視光VLでの反射が顕著になる。また反射スペクトルの概念を示した図７（Ｂ）のように、逆に赤外反射領域のバンド幅ΔλIRが狭い場合には、短波長側に中心波長λ０を持っていかないと可視光VLに近い赤外領域での反射が起こらなくなる。可視光VLと赤外光IRの波長分離性能が非常によい。
【０１１４】
ところで図２３に示したシリコンＳｉの吸収スペクトルのグラフから、赤外領域の内、０．７８μｍ≦λ≦０．９５μｍの範囲の赤外光IRを反射させれば、赤外カット効果として十分になることが分かる。これは、波長０．９５μｍより長波長側の光は殆どシリコンＳｉ内部で吸収されず、光電変換されないからである。したがって０．７８μｍ≦λ≦０．９５μｍの範囲の波長の赤外光IRを反射できるように反射中心波長λ０を選べばよいことになる。
【０１１５】
また、可視光VLでも、赤（Ｒ）領域の内、６４０〜７８０ｎｍの範囲の光は視感度が低いために反射されてもされなくても特に撮像素子の性能に影響はないと考えてよい。したがって６４０〜７８０ｎｍの波長領域に反射が生じていても不都合がない。
【０１１６】
さらに、赤外反射領域のバンド幅ΔλIRは、誘電体積層膜１の屈折率差Δｎが大きいときには広くなり、逆に屈折率差Δｎが小さいときには狭くなる。したがって、赤外反射領域のバンド幅λIRは、ＳｉＮ／ＳｉＯ２多層膜の場合には狭く、Ｓｉ／ＳｉＯ２多層膜の場合には広くなる。
【０１１７】
これらのことから、ＳｉＮ／ＳｉＯ２多層膜（屈折率差Δｎ＝０．５７）の場合には、図８の反射スペクトル図に示す７８０ｎｍと９５０ｎｍの反射中心波長λ０の計算から、７８０ｎｍ≦λ０≦９５０ｎｍの範囲であれば、ほぼ上述の条件を満たすことが分かる。ところで、図８は後述する図１３のような積層構造で、λ０＝７８０ｎｍとλ０＝９５０ｎｍになるように、誘電体層１＿ｊの膜厚ｄｊだけを変えて計算されたものである。
【０１１８】
また同様に、Ｓｉ／ＳｉＯ２多層膜（屈折率差Δｎ＝２．６４）の場合、図９の反射スペクトル図に示すように９００ｎｍ≦λ０≦１１００ｎｍの範囲であれば、ほぼ上述の条件を満たす。
【０１１９】
以上のことから、シリコンナイトライドＳｉＮやシリコンＳｉと酸化シリコンＳｉＯ２の組合せにおいては、反射中心波長λ０としては、下記式（３−１）を満たせばよいことになる。好ましくは、下記式（３−２）を満たすのがよい。これらは、９００ｎｍ近傍を反射中心波長λ０とするのが理想的であることを意味する。
【０１２０】
【数３】
2006238093.tif 000005
【０１２１】
もちろん、上記で示した材料は一例に過ぎず、上述のような効果は必ずしも酸化シリコンＳｉＯ２とシリコンナイトライドＳｉＮ層の組み合わせに限ったことでなく、屈折率差が０．３以上、さらに望ましくは０．５以上あるような材料を選べば同様な効果があることが計算によって見積もられた。
【０１２２】
たとえばＳｉＮ膜は、作製条件によって多少の組成のばらつきがあってもよい。また、誘電体積層膜１を構成する誘電体層１＿ｊとしては、酸化シリコンＳｉＯ２やシリコンナイトライドＳｉＮの他、アルミナＡｌ２Ｏ３やジルコニアＺｒＯ２（屈折率２．０５）や酸化チタンＴｉＯ２（屈折率２．３〜２．５５）や酸化マグネシウムＭｇＯや酸化亜鉛ＺｎＯ（屈折率２．１）などの酸化物あるいはポリカーボネートＰＣ（屈折率１．５８）やアクリル樹脂ＰＭＭＡ（屈折率１．４９）などの高分子材料、炭化珪素ＳｉＣ（屈折率２．６５）やゲルマニウムＧｅ（屈折率４〜５．５）などの半導体材料も使用可能である。
【０１２３】
高分子材料を用いることで、従来のガラス製にはない特徴を持った分光フィルタ１０を構成することができる。すなわち、プラスチック製にすることができ、軽量で耐久性（高温、高湿、衝撃）に優れる。
【０１２４】
＜＜誘電体積層膜を利用した分波イメージセンサ＞＞
図１０〜図１４は、誘電体積層膜１を利用したイメージセンサ１２２への適用に好適な分光イメージセンサ１１の一実施形態を説明する図である。この分光イメージセンサ１１は、誘電体積層膜１を利用した分光フィルタ１０の基本的な設計手法を用いて構成されるものである。ここでは、赤外光IRを選択的に反射させるような誘電体積層膜１を半導体素子層上に形成することで、赤外光IRをカットして可視光VL成分を受光するようにした分光イメージセンサ１１の設計例を述べる。
【０１２５】
なお、分光イメージセンサ１１の基本構造は、分光フィルタ１０を半導体素子層の受光部上に形成したもので、これだけでは、単波長分波対応（つまりモノクロ画像撮像用）の分光イメージセンサ１１になるが、分光イメージセンサ１１の各受光部に対させて色分離フィルタの所定色（たとえばＲ，Ｇ，Ｂの何れか）を設けることで、カラー画像撮像対応となる。
【０１２６】
ここで、図４〜図６を用いて説明した誘電体積層膜１をシリコン（Ｓｉ）フォトディテクタなどの検知素子が形成された屈折率が誘電体積層膜１をなす各誘電体層１＿ｊよりも大きい半導体素子層上に作製するに当たっては、半導体素子層から誘電体積層膜１までの距離、すなわち第ｋ層の誘電体層１＿ｋをなす酸化シリコンＳｉＯ２層の厚みｄｋが重要である。
【０１２７】
これは図１０の構造図に示すように、たとえばシリコンＳｉ（屈折率４．１）でなる半導体素子層（フォトディテクタなど）の表面であるシリコン基板１＿ωの表面からの反射光Ｌ４との干渉効果によって、トータルな反射光ＬＲtotal のスペクトルが変化することを意味する。
【０１２８】
図１１は、トータルな反射光ＬＲtotal の、誘電体層１＿ｋをなす酸化シリコンＳｉＯ２層の厚みｄｋの変動依存性を説明する反射スペクトル図である。ここでは、図４に示した７層構造の誘電体積層膜１について、誘電体層１＿ｋの厚みｄｋを変えて計算した結果を示している。図１１内の各図において、横軸は波長λ（μｍ）で、縦軸は反射率Ｒである。
【０１２９】
図１１内の各図から分かるように、厚みｄｋ＝０．１５４μｍのとき、すなわち赤外光IRの反射中心波長λ０に対して、条件式（１）を満たす値のときに、反射スペクトルは殆ど影響を受けず、赤外光IR（波長λ≧７８０ｎｍ）を強く反射していることが分かる。それに対して厚みｄｋ＝０．３〜５０μｍまでのスペクトルには、厚みｄｋ＝∞の反射スペクトルに比べて別の振動が生じていることが分かる。それによって赤外での反射がディップ状に低下している波長域が存在するのが分かる。
【０１３０】
ただし、厚みｄｋ＝２．５μｍ以上になると、赤外でのディップの半値幅が３０ｎｍ以下になり、とりわけ厚みｄｋ＝５．０μｍ以上になるとその半値幅が２０ｎｍ以下となり、一般的なブロードな自然光に対して十分に半値幅が狭くなるので平均化された反射率となる。さらに、厚みｄｋ＝０．３〜１．０μｍのスペクトルに関しては、可視光VLでの反射率が高いことも分かる。これらのことから、望ましくは、厚みｄｋ＝０．１５４μｍ付近、すなわち条件式（１）を満たす値のときが最適であると言える。
【０１３１】
図１２は、誘電体層１＿ｋをなす酸化シリコンＳｉＯ２層の厚みｄｋの変動依存性を説明する反射スペクトル図であって、特に、厚みｄｋ＝０．１５４μｍ付近で、厚みｄｋの値を変えて計算した結果を示すものである。図１２内の各図において、横軸は波長λ（μｍ）で、縦軸は反射率Ｒである。
【０１３２】
この結果から分かるように、条件式（１）を満たす厚みｄｋ＝０．１５４μｍを中心として、厚みｄｋ＝０．１４〜０．１６μｍの範囲であれば、可視光VLでの反射が抑えられることが分かる。
【０１３３】
以上のことから、分光イメージセンサ１１の最適構造は、図１３の構造図に示すように、実質的には、第ｋ層の誘電体層１＿ｋを含めて８層構造の誘電体積層膜１Ａを有するものとなり、その反射スペクトルの計算結果は図１４に示す反射スペクトル図のようになる。言い換えると、誘電体積層膜１Ａは、シリコン基板１＿ω上に、第２の層材である酸化シリコンＳｉＯ２でなる層を４周期分設けた構造をなしている。
【０１３４】
＜分光フィルタおよび分光イメージセンサの変形例＞
図１５〜図１９は、分光フィルタ１０および分光イメージセンサ１１の変形例を示す図である。上記の分光フィルタ１０の構造は、誘電体積層膜１を利用した基本構造を示したもののであり、その他の様々な変形が可能である。同様に、上記の分光イメージセンサ１１の構造は、誘電体積層膜１を利用した分光フィルタ１０をＣＭＯＳやＣＣＤなどの受光部上に形成する基本構造を示したもののであり、その他の様々な変形が可能である。たとえば、詳細は割愛するが、分光フィルタ１０や分光イメージセンサ１１の変形例としては、本願出願人が特願２００４−３５８１３９号にて提案しているように様々な構成を採用することができる。
【０１３５】
たとえば、図１５に示すように、第ｋ層目の誘電体層１＿ｋとシリコン基板１＿ωとの間に、第ｋ層目の誘電体層１＿ｋの屈折率ｎｋとシリコン基板１＿ωの屈折率ｎω（＝４．１）に対して中間的な屈折率をもつ第３の層１_γ（たとえばシリコンナイトライドＳｉＮ層）を追加した分光イメージセンサ１１とすることで、可視光領域内における反射を低減することもできる（第１の変形例という）。
【０１３６】
また、図１６に示すように、第１の変形例で追加した第３の層材とシリコン基板１＿ωとの間に、第３の層材よりも小さな屈折率をもつ第４の層１_δ（たとえば酸化シリコンＳｉＯ２層）を積層した分光イメージセンサ１１とすることで、さらに暗電流を低減することもできる（第２の変形例という）。
【０１３７】
また、図１７に示すように、誘電体積層膜１内において、この誘電体積層膜１を構成する基本的な第１および第２の層材よりも大きな屈折率をもつ第５の層１_η（たとえばシリコンナイトライドＳｉＮおよび酸化シリコンＳｉＯ２よりも高い屈折率＝４．１を持つ厚みｄη＝６１ｎｍのシリコンＳｉ層）を１層分追加した分光イメージセンサ１１とすることで、誘電体積層膜１をなす誘電体層１＿ｊの層数を低減することもできる（第３の変形例という）。
【０１３８】
また、図１８に示すように、第３の変形例における層数低減に当たって、誘電体積層膜１内において、この誘電体積層膜１を構成する基本的な第１および第２の層材よりも大きな屈折率をもつ複数の第５の層１_η（たとえばシリコンナイトライドＳｉＮおよび酸化シリコンＳｉＯ２よりも高い屈折率＝４．１を持つ厚みｄη＝６１ｎｍのシリコンＳｉ層）を追加した分光イメージセンサ１１とすることで、層数をさらに低減することもできる（第４の変形例という）。
【０１３９】
なお、この分光イメージセンサ１１に対する第３および第４の変形例は、分光フィルタ１０においても同様に適用し得るものである。
【０１４０】
また、図１９に示すように、第３や第４の変形例において、第１や第２の変形例を同時に適用した分光イメージセンサ１１とすることで、層数の低減とともに、可視光領域内における反射を低減することもできる。特に青色Ｂ成分（波長４２０ｎｍ近傍）や緑色Ｇ成分（波長５２０ｎｍ近傍）での反射率は若干増加するものの、赤色Ｒ成分（波長６００ｎｍ近傍）での反射率を十分に低下させることができ、赤外光IRとの分離に適するようになる。
【０１４１】
なお、上記の説明では、誘電体積層膜１を利用した分光フィルタ１０を使用して分光イメージセンサ１１を構成していたが、これに限らず、電磁波の内の所定の波長領域成分を反射させ残りを通過させる特性を持った部材を検知部の電磁波が入射する入射面側に設けるものであればよい。
【０１４２】
たとえば、誘電体積層膜１に限らず、所定の厚さの単層膜を利用しても、分光フィルタを形成することができる。単層膜の膜厚を変化させると、電磁波の内の所定の波長領域成分を反射させ残りを通過させる効果が得られるからである。積層膜よりも低コストになる利点がある。
【０１４３】
この点は、分光イメージセンサ１１に限らず、波長分離光学系１０４についても同様であり、所定の厚さの単層膜を利用したミラー１０５を波長分離光学系１０４に適用することができる。
【０１４４】
＜第２実施形態＞
図２０は、本発明に係る第２実施形態の撮像装置の概略構成を示す図である。この第２実施形態の撮像装置１００は、可視光カラー画像および近赤外光画像を独立に得る点で第１実施形態と同様であるが、図２０（Ａ）に示すように、赤外光撮像部１１０に、赤外光IRの検知に最適化されたイメージセンサ１１２を設けている点に特徴を有する。撮像信号処理部１３０は、赤外光撮像部１１０で得られる信号と可視光撮像部１２０で得られる信号を用いて、演算処理により、可視光VL成分と赤外光IR成分とを分離する。
【０１４５】
可視光撮像部１２０側に関しては、イメージセンサ１２２が赤外光IRを検知しないようにした分光イメージセンサ１１であることを必須要件とはしない。図示するように、可視光VL成分ともに赤外光IR成分をも検知するものであってもよい。もちろん、イメージセンサ１２２が赤外光IRを検知しないようにした分光イメージセンサ１１であればなおよい。
【０１４６】
具体的には、第２実施形態では、図２０（Ｂ）に１画素分の構造を示すように、赤外光IRの検知側に可視光VL成分が漏れ込んだ場合に対する対応として、赤外光撮像部１１０に、赤外光IRの検知に最適化された、半導体の深さ方向における波長による吸収係数の違いを利用して可視光像と赤外光像とを分離して取得する構造のイメージセンサ１１２＿IR＋VLを用いている。つまり、深さと波長による吸収係数の違いを利用することで、本来の検知目的以外の波長成分（本例では可視光VL成分）の影響を抑制しつつ、本来の検知目的の波長成分（本例では赤外光IR成分）を検知することが可能なイメージセンサ１１２＿IR＋VLを使用する。
【０１４７】
これにより、可視光VLの影響を殆ど受けることなく、赤外光像を独立に得ることができる。また、付加的な効果として、半導体の浅い領域にて、可視光像を取得することができ、この成分を可視光撮像部１２０のイメージセンサ１２２で取得される可視光像と合成演算することで感度向上を図ることもできる。
【０１４８】
たとえば、波長分離光学系１０４により赤外光IRを赤外光撮像部１１０側に反射させることで赤外光IRを分光させると、赤外光側の分光成分は、波長分離光学系１０４の分離能に依存して、赤外光IRが主要な成分となるが、数％の可視光VLが含まれてしまう。
【０１４９】
そこで、第２実施形態においては、半導体基板の深さ方向における波長による吸収係数の違いを利用した構造のイメージセンサ１１２＿IR＋VLを用いる。一例としては、７８０ｎｍ未満の可視光VL光により光電変換させた電子をシリコン（Ｓｉ）基板の深さ方向において、比較的浅い部分〜５μｍ程度の深さで吸収させる。残りの光成分つまり波長７８０ｎｍ以上の赤外光IRにより光電変換させた電子を、５μｍよりもさら深い領域で吸収させる。両者の検知領域の境界部分には、電気的非接続領域を設ける。こうすることで、５μｍよりも深い領域で取得した信号を検知する仕組みとすれば、赤外光IR成分だけの電気信号を取得できる。
【０１５０】
すなわち、半導体層の浅い領域で光電変換される可視光VL（たとえば波長７８０ｎｍ未満）の信号成分を排除し、半導体層の深い領域で光電変換される赤外光IR（たとえば波長７８０ｎｍ以上）の成分だけを利用することで、入射した赤外光IR成分だけの電気信号を取得するようにする。これにより、赤外光撮像部１１０において、可視光VLの影響を殆ど受けることのない赤外光像を取得できる。
【０１５１】
これにより、入射した可視光VL成分だけの光電子のみを可視光撮像信号ＳＶ＿IRに変換して赤外光IRの影響を殆ど受けることのない可視光像を取得するとともに、入射した赤外光IR成分だけの光電子のみを赤外光撮像信号ＳIRに変換して可視光VLの影響を殆ど受けることのない赤外光像を同時かつ独立に得ることができる。
【０１５２】
もちろん、比較的浅い部分〜５μｍ程度の深さの領域で取得した信号を検知する仕組みとすれば、イメージセンサ１１２においても可視光VL成分の電気信号を取得できる。なお、この可視光VL成分には、従来技術にて説明したことから分かるように、可視光VLを検知する領域では赤外光IRが通過するときにある程度吸収を受けるために、その赤外光IRが可視光VLとして誤検知されるので、赤外光IR成分の影響を受ける。
【０１５３】
よって、赤外光撮像部１１０は、半導体層の浅い領域で光電変換され得る可視光VL（たとえば波長７８０ｎｍ未満）の信号成分ＧＶ＿IRと、半導体層の深い領域で光電変換される赤外光IR（たとえば波長７８０ｎｍ以上）の信号成分ＧIRとに分離して検知することもできる。こうすることで、実質的に、赤外光IR用のイメージセンサ１１２＿IR＋VLを、赤外光IR用のみでなく、赤外光IR用と可視光VL用を兼ねるイメージセンサとして機能させることができる。
【０１５４】
ここで、赤外光撮像部１１０側に可視光VL成分が漏れ込むということは、その分だけ可視光撮像部１２０側の可視光VL成分が低下し、イメージセンサ１２２で得られる可視光撮像信号ＳＶとしては、可視光像の受光感度が低下することを意味する。
【０１５５】
よって、撮像信号処理部１３０において、赤外光撮像部１１０側のイメージセンサ１１２＿IR＋VLで取得される可視光撮像信号ＳＶ＿IRとイメージセンサ１２２で得られる可視光撮像信号ＳＶとを合成することで、赤外光撮像部１１０側への漏れにより低下した分を補正でき、可視光像の感度向上を図ることができる。
【０１５６】
また、半導体の深さ方向における波長による吸収係数の違いを利用した構造のイメージセンサ１１２＿IR＋VLを用いた場合でも、赤外光IRと可視光VLの内の赤色成分との境界近傍波長は互いに他方の吸収をある程度受ける。
【０１５７】
よって、撮像信号処理部１３０において、赤外光撮像部１１０側のイメージセンサ１１２＿IR＋VLで取得される可視光撮像信号ＳＶ＿IRを用いて、イメージセンサ１１２＿IR＋VLで取得される赤外光撮像信号ＳIRに補正を加える（たとえば差分処理をする）ことで、可視光VL中の赤色成分の影響を抑制することもできる。
【０１５８】
＜第３実施形態＞
図２１は、本発明に係る第３実施形態の撮像装置の概略構成を示す図である。この第３実施形態の撮像装置１００は、可視光カラー画像および近赤外光画像を独立に得る点で第１および第２実施形態と同様であるが、図２１（Ａ）に示すように、赤外光撮像部１１０に赤外光IRの検知に最適化されたイメージセンサ１１２を設けるとともに、可視光撮像部１２０に可視光VLの検知に最適化されたイメージセンサ１２２を用いている。つまり、上述した第１実施形態と第２実施形態とを組み合わせた構造としている。撮像信号処理部１３０は、赤外光撮像部１１０で得られる信号と可視光撮像部１２０で得られる信号を用いて、演算処理により、可視光VL成分と赤外光IR成分とを分離する。
【０１５９】
ここで、第３実施形態においては、図２１（Ｂ）に１画素分の構造を示すように、赤外光IRの検知側に可視光VL成分が漏れ込んだ場合に対する対応として、第２実施形態と同様に、赤外光撮像部１１０に、赤外光IRの検知に最適化された、半導体の深さ方向における波長による吸収係数の違いを利用して可視光像と赤外光像とを分離して取得する構造のイメージセンサ１１２＿IR＋VLを用いている。
【０１６０】
一方、可視光撮像部１２０側には、第１実施形態とは異なり、可視光VLの検知側に赤外光IR成分が漏れ込んだ場合に対する対応として、可視光VLの検知に最適化された、半導体の深さ方向における波長による吸収係数の違いを利用して可視光像と赤外光像とを分離して取得する構造のイメージセンサ１２２＿VL＋IRを用いている点に特徴を有する。つまり、深さと波長による吸収係数の違いを利用することで、本来の検知目的以外の波長成分（本例では赤外光IR成分）の影響を抑制しつつ、本来の検知目的の波長成分（本例では可視光VL成分）を検知することが可能なイメージセンサ１２２＿VL＋IRを使用する。
【０１６１】
具体的には、図２１（Ｃ）に１画素分の構造を示すように、図２１（Ｂ）に示す構造と同じイメージセンサを用いるとともに、その受光面に、各受光部（画素）に対させて色分離フィルタ１２４の所定色（たとえば１２４Ｒ，１２４Ｇ，１２４Ｂの何れか）を設けることで、カラー画像撮像対応としている。
【０１６２】
このような構成とすることで、可視光撮像部１２０側については、半導体層の深い領域で光電変換される赤外光IR（たとえば波長７８０ｎｍ以上）の信号成分を排除し、半導体層の浅い領域で光電変換される可視光VL（たとえば波長７８０ｎｍ未満）の成分だけを利用することで、入射した可視光VL成分だけの電気信号を色成分ごとに取得するようにする。これにより、可視光撮像部１２０において、赤外光IRの影響を殆ど受けることのない可視光像を取得できる。
【０１６３】
これにより、入射した可視光VL成分だけの光電子のみを可視光撮像信号ＳＶ＿IRに変換して赤外光IRの影響を殆ど受けることのない可視光像を取得するとともに、入射した赤外光IR成分だけの光電子のみを赤外光撮像信号ＳIRに変換して可視光VLの影響を殆ど受けることのない赤外光像を同時かつ独立に得ることができる。
【０１６４】
また、可視光撮像部１２０は、半導体層の深い領域で光電変換される赤外光IR（たとえば波長７８０ｎｍ以上）の信号成分ＧIRと、半導体層の浅い領域で光電変換され得る可視光VL（たとえば波長７８０ｎｍ未満）の色別の信号成分ＧＶ＿IRとに分離して検知することもできる。こうすることで、実質的に、可視光VL用のイメージセンサ１２２＿VL＋IRを、可視光VLR用のみでなく、赤外光IR用と可視光VL用を兼ねるイメージセンサとして機能させることができる。
【０１６５】
ここで、可視光撮像部１２０側に赤外光IR成分が漏れ込むということは、その分だけ赤外光撮像部１１０側の赤外光IR成分が低下し、イメージセンサ１１２で得られる赤外光撮像信号ＳIRとしては、赤外光像の受光感度が低下することを意味する。
【０１６６】
よって、撮像信号処理部１３０において、赤外光撮像部１１０側のイメージセンサ１１２＿IR＋VLで取得される赤外光撮像信号ＳIRとイメージセンサ１２２で得られる赤外光撮像信号ＳIR＿VLとを合成することで、可視光撮像部１２０側への漏れによる低下した分を補正でき、赤外光像の感度向上を図ることができる。
【０１６７】
また、半導体の深さ方向における波長による吸収係数の違いを利用した構造のイメージセンサ１２２＿VL＋IRを用いた場合でも、可視光VLの内の赤色成分と赤外光IRとの境界近傍波長は互いに他方の吸収をある程度受ける。
【０１６８】
よって、撮像信号処理部１３０において、可視光撮像部１２０側のイメージセンサ＿VL＋IRで取得される赤外光撮像信号ＳIR＿VLを用いて、イメージセンサ＿VL＋IRで取得される可視光撮像信号ＳＶ（特に赤色成分）に補正を加える（たとえば差分処理をする）ことで、赤外光IR成分の影響を抑制することもできる。
【０１６９】
＜信号読出方法＞
図２２は、第２実施形態や第３実施形態において用いた、半導体の深さ方向における波長による吸収係数の違いを利用して可視光像と赤外光像とを分離して取得する構造のイメージセンサ１１２＿IR＋VL，１２２＿VL＋IRを用いる場合の信号取得方法の一例を説明する図である。ここで、図２２（Ａ）は回路図、図２２（Ｂ）は信号タイミング図である。
【０１７０】
受光部に設けられる光電変換素子７３２Ｗ（モノクロ撮像時；カラーの場合はＲ，Ｇ，Ｂの色ごと、以下同様），７３２IRのそれぞれに対して、波長別に転送ゲート７３４Ｗ（もしくはＲ，Ｇ，Ｂ），７３４IRが設けられている。各光電変換素子７３２Ｗ（もしくはＲ，Ｇ，Ｂ），７３２IRは、それぞれに対応する転送ゲート７３４Ｗ（もしくはＲ，Ｇ，Ｂ），７３４IRを通じて、増幅用トランジスタ７４０とリセットトランジスタ７３６などを通じた画素内アンプ７０５へ接続されている。増幅用トランジスタ７４０は垂直選択トランジスタ７４２を介して垂直信号線７５１に接続されている。
【０１７１】
リセット状態と信号読出し状態を示した図２２（Ｂ）に示す各タイミングに応じて画素信号を出力する。ここで、読出対象の垂直行の垂直選択トランジスタ７４２に選択パルスＳＥＬを供給した状態で、転送ゲート７３４Ｗ（もしくはＲ，Ｇ，Ｂ），７３４IRに読出パルスＴＷ（もしくはＲ，Ｇ，Ｂ），ＴIRを供給してそれぞれの信号電荷を読み出す前に、リセットトランジスタ７３６にリセットパルスＲＳＴを供給してフローティングディフュージョン７３８をリセットさせる。こうすることで、赤外光IR成分→可視光VL成分（全可視光成分もしくは色ごとの成分）の順（その逆でもよい）に、画素信号を独立に読み出すことができる。
【０１７２】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【０１７３】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【０１７４】
たとえば、上述の技術は必ずしも可視光と赤外光の分光と、その分光成分を独立に検知することで可視光像と赤外光像とを個別に取得する技術に限ったものではない。たとえば、可視光と紫外光の分光や検知も可能となり、可視光とともに紫外光も同時に検出してイメージ化できる。また、同時に検出する可視光については、分光せずにモノクロ画像を検知することに限らず、上述のようにして色別の色フィルタを用いて可視光帯内をたとえば３原色成分に分光することでカラー画像を検知することもできる。
【０１７５】
これにより、眼で見ることができる可視光のイメージ像（モノクロ画像あるいはカラー画像）と対応して、眼で見ることのできない紫外光の像情報を同時に取得することができる。これによって光合成監視カメラなどの新しい情報システムのキーデバイスとして応用が広がる。
【０１７６】
たとえば、上記実施形態では、波長分離光学系１０４による波長分離において、反射波長領域成分を赤外光IRとし、通過波長領域成分を赤外光IRよりも低波長側の可視光VLとしていたが、可視光VLを反射波長領域成分とし、通過波長領域成分を可視光VLよりも低波長側（たとえば紫外光）とする誘電体積層膜１を利用した波長分離光学系１０４とすることで、可視光VLと可視光VLよりも低波長側（たとえば紫外光）の分光や検知も可能となる。
【図面の簡単な説明】
【０１７７】
【図１】本発明に係る第１実施形態の撮像装置の概略構成を示す図である。
【図２】誘電体積層膜を利用して電磁波を所定波長ごとに分光する分波イメージセンサの概念を説明する図である。
【図３】誘電体積層膜を利用した分波イメージセンサの基本構成を説明する概念図である。
【図４】積層膜を設計する手法の基本概念を説明する構造図である。
【図５】積層膜を設計する手法の基本概念を説明する反射スペクトル図である。
【図６】積層膜を設計する手法の基本概念を説明する反射スペクトル図である。
【図７】反射中心波長λの条件を説明する図（反射スペクトルの概念を示した図）である。
【図８】反射中心波長λの条件を説明する反射スペクトル図である。
【図９】反射中心波長λの条件を説明する反射スペクトル図である。
【図１０】積層膜を利用した単波長分波対応の分光イメージセンサの第１実施形態を説明する構造図である。
【図１１】積層膜を利用した単波長分波対応の分光イメージセンサの第１実施形態を説明する反射スペクトル図である。
【図１２】積層膜を利用した単波長分波対応の分光イメージセンサの第１実施形態を説明する図（反射スペクトル図；詳細）である。
【図１３】積層膜を利用した単波長分波対応の分光イメージセンサの第１実施形態を説明する構造図である。
【図１４】積層膜を利用した単波長分波対応の分光イメージセンサの第１実施形態を説明する反射スペクトル図である。
【図１５】積層膜を利用した単波長分波対応の分光イメージセンサの第２実施形態を説明する構造図である。
【図１６】積層膜を利用した単波長分波対応の分光イメージセンサの第２実施形態を説明する構造図である。
【図１７】積層膜を利用した単波長分波対応の分光イメージセンサの第３実施形態を説明する構造図である。
【図１８】積層膜を利用した単波長分波対応の分光イメージセンサの第４実施形態を説明する構造図である。
【図１９】積層膜を利用した単波長分波対応の分光イメージセンサの第５実施形態を説明する構造図である。
【図２０】本発明に係る第２実施形態の撮像装置の概略構成を示す図である。
【図２１】本発明に係る第３実施形態の撮像装置の概略構成を示す図である。
【図２２】第２や第３の実施形態における信号取得方法の一例を説明する図である。
【図２３】特許文献１に記載のセンサの仕組みを説明する図である。
【符号の説明】
【０１７８】
１…誘電体積層膜、１０…分光フィルタ、１１…分光イメージセンサ、１００…撮像装置、１０２…撮影レンズ、１０４…波長分離光学系、１０５…ミラー、１０５ａ…基板、１０５ｂ…光学フィルタ、１１０…赤外光撮像部、１１２，１２２…イメージセンサ、１２０…可視光撮像部、１２４…色分離フィルタ、１３０…撮像信号処理部
【図１】
2006238093.tif 000006
【図２】
2006238093.tif 000007
【図３】
2006238093.tif 000008
【図４】
2006238093.tif 000009
【図５】
2006238093.tif 000010
【図６】
2006238093.tif 000011
【図７】
2006238093.tif 000012
【図８】
2006238093.tif 000013
【図９】
2006238093.tif 000014
【図１０】
2006238093.tif 000015
【図１１】
2006238093.tif 000016
【図１２】
2006238093.tif 000017
【図１３】
2006238093.tif 000018
【図１４】
2006238093.tif 000019
【図１５】
2006238093.tif 000020
【図１６】
2006238093.tif 000021
【図１７】
2006238093.tif 000022
【図１８】
2006238093.tif 000023
【図１９】
2006238093.tif 000024
【図２０】
2006238093.tif 000025
【図２１】
2006238093.tif 000026
【図２２】
2006238093.tif 000027
【図２３】
2006238093.tif 000028